(57)【特許請求の範囲】
【請求項１】
合成樹脂製の複数の枠材の端部同士を突き合わせて溶着された枠体と、
前記枠体に開閉可能に支持された障子と、
前記複数の枠材のうちのいずれかの前記枠材の室内側に取り付けられ前記障子を開閉操作するためのオペレーターハンドルと、
を備え、
各々の前記枠材は、前記障子の面内方向における外周側に当該障子と面内方向にて対向するように配置される枠本体部と、
前記枠本体部から前記枠体の内周側に突出し前記障子を閉じたときに当該障子の室内側にて前記障子と面外方向に対向し長手方向に沿って連通する面外対向中空部を備えた面外対向部と、を有し、
前記オペレーターハンドルを前記面外対向部の前記枠体の内周側に取り付けるための金属製の取付部材が、前記面外対向中空部に設けられた金属製の面外対向補強材に固定されていることを特徴とする建具。
【請求項２】
請求項１に記載の建具であって、
前記枠本体部は、長手方向に沿って連通する面内対向中空部を有し、
前記面内対向中空部内には金属製の面内対向補強材が設けられており、
前記面外対向部は、前記障子と対向する側の前記枠本体部側に、室内側に窪む凹部を備えており、
前記面外対向補強材と前記面内対向補強材とは、前記凹部に配置されて前記面外対向補強材と接合される凹部接合部と、前記凹部接合部と繋がって前記枠本体部と対向し前記面内対向補強材と接合される本体接合部とを有する連結部材により連結されていることを特徴とする建具。
【請求項３】
請求項１または請求項２に記載の建具であって、
前記取付部材は、前記面外対向部の、前記枠体の内周側に当接され、当該取付部材が当接された面に対して傾斜する方向からビスにより前記面外対向補強材に固定され、
前記面外対向部には、前記ビスの締め込みにより前記取付部材と前記面外対向補強材とが傾斜に沿って互いに異なる方向にスライドすることにより作用する力に対抗する補強リブが設けられていることを特徴とする建具。
【請求項４】
請求項１乃至請求項３のいずれかに記載の建具であって、
閉じた状態の前記障子と前記取付部材との間に、前記オペレーターハンドルの操作により前記障子を開閉させる障子開閉機構が設けられていることを特徴とする建具。
【請求項５】
請求項１乃至請求項４のいずれかに記載の建具であって、
前記取付部材の室内側に、当該取付部材を覆うカバー部材を有していることを特徴とする建具。
【発明の詳細な説明】
【技術分野】
【０００１】
本発明は、合成樹脂製の枠体に開閉可能に支持された障子を開閉操作するためのハンドルを備えた建具に関する。
【背景技術】
【０００２】
合成樹脂製の枠体に開閉可能に支持された障子を開閉操作するためのハンドルを備えた建具としては、例えば、樹脂製形材の枠体にヒンジを介して障子が取り付けられ、施錠機構としてグレモン錠が設けられた建具が知られている（例えば、特許文献１参照）。建具の枠は、同一断面形状の上枠、下枠、吊元側竪枠、戸先側竪枠の各端部を斜めに切断し、端部同士を突き合わせて枠組みしている。
【先行技術文献】
【特許文献】
【０００３】
【特許文献１】特開２０１４−１７３３０６号公報
【発明の概要】
【発明が解決しようとする課題】
【０００４】
上記のようなグレモン錠は、障子を開放する際に、グレモンハンドルを室外側に押し出さなければならないため、高所に設けられる窓などでは、オペレーターハンドルを用いることが望まれている。オペレーターハンドルは、グレモン錠と異なり枠側に取り付けなければならないので、オペレーターハンドルを枠に取り付ける場合には、枠にオペレーターハンドルの取付部を設けたり、強度を確保するために枠材を大きくする必要がある。一方、樹脂製の枠は、接合の都合上、構成する上枠、下枠、吊元側竪枠、戸先側竪枠を同一の断面形状とすることが望ましい。このため、オペレーターハンドルを取り付ける枠材のみ取付部を設ける、或いは、大きくすると、操作する室内側の枠体の一部だけが大きく、または室内側に突出して意匠性が損なわれる虞がある。
【０００５】
本発明は、かかる課題に鑑みてなされたものであり、その目的とするところは、樹脂製の枠であってもオペレーターハンドルを備えて意匠性に優れた建具を提供することにある。
【課題を解決するための手段】
【０００６】
かかる目的を達成するために本発明の建具は、合成樹脂製の複数の枠材の端部同士を突き合わせて溶着された枠体と、前記枠体に開閉可能に支持された障子と、前記複数の枠材のうちのいずれかの前記枠材の室内側に取り付けられ前記障子を開閉操作するためのオペレーターハンドルと、を備え、各々の前記枠材は、前記障子の面内方向における外周側に当該障子と面内方向にて対向するように配置される枠本体部と、前記枠本体部から前記枠体の内周側に突出し前記障子を閉じたときに当該障子の室内側にて前記障子と面外方向に対向し長手方向に沿って連通する面外対向中空部を備えた面外対向部と、を有し、前記オペレーターハンドルを前記面外対向部の前記枠体の内周側に取り付けるための金属製の取付部材が、前記面外対向中空部に設けられた金属製の面外対向補強材に固定されていることを特徴とする建具である。
【０００７】
このような建具によれば、枠体を形成する枠材が備える面外対向部の面外対向中空部に設けられた金属製の面外対向補強材に、金属製の面外対向部の枠体の内周側に配置された取付部材が固定されるので、金属の高い強度を備えた部位にオペレーターハンドルを取り付けることが可能である。このとき、枠体を形成する各枠材は、いずれも本体部と、面外対向中空部を備えた面外対向部とを有する同一断面形状をなしているので、枠材の端部同士を突き合わせて溶着することが可能である。そして、オペレーターハンドルが設けられている室内側から見た際にも各枠材が繋がって平坦な面を形成するので意匠性に優れている。このため、樹脂製の枠体であってもオペレーターハンドルを備えて意匠性に優れた建具を提供することが可能である。
【０００８】
かかる建具であって、前記枠本体部は、長手方向に沿って連通する面内対向中空部を有し、前記面内対向中空部内には金属製の面内対向補強材が設けられており、前記面外対向部は、前記障子と対向する側の前記枠本体部側に、室内側に窪む凹部を備えており、前記面外対向補強材と前記面内対向補強材とは、前記凹部に配置されて前記面外対向補強材と接合される凹部接合部と、前記凹部接合部と繋がって前記枠本体部と対向し前記面内対向補強材と接合される本体接合部とを有する連結部材により連結されていることが望ましい。
【０００９】
このような建具によれば、オペレーターハンドルの取付部材が固定されている面外対向補強材は、枠本体部の面内対向中空部内に設けられた金属製の面内対向補強材と、金属製の連結部材により連結されているので、より強固にオペレーターハンドルを取り付けることが可能である。このとき、連結部材が備える凹部接合部は、面外対向部において障子と対向する側の枠本体部側に形成されて室内側に窪む凹部に配置され、凹部接合部と繋がった本体接合部は本体部と対向して面内対向補強材と接合されているので、枠体と障子との狭い隙間であっても面外対向補強材と面内対向補強材とを確実に連結することが可能である。
【００１０】
かかる建具であって、前記取付部材は、前記面外対向部の、前記枠体の内周側に当接され、当該取付部材が当接された面に対して傾斜する方向からビスにより前記面外対向補強材に固定され、前記面外対向部には、前記ビスの締め込みにより前記取付部材と前記面外対向補強材とが傾斜に沿って互いに異なる方向にスライドすることにより作用する力に対抗する補強リブが設けられていることが望ましい。
【００１１】
このような建具によれば、取付部材を面外対向補強材に固定すべくビスを締め込んだときに取付部材と面外対向補強材とが傾斜に沿って互いに異なる方向にスライドして面外対向部に作用したとしても、補強リブにより補強されているので面外対向部が損傷することを抑えることが可能である。このため、より強固に取付部材を固定することが可能である。
【００１２】
かかる建具であって、閉じた状態の前記障子と前記取付部材との間に、前記オペレーターハンドルの操作により前記障子を開閉する障子開閉機構が設けられていることが望ましい。
このような建具によれば、閉じた障子と取付部材との間の狭い空間に障子開閉機構を備えることができるので、オペレーターハンドルが取り付けられる部位を突出させることなく納めることが可能である。
【００１３】
かかる建具であって、前記取付部材の室内側に、当該取付部材を覆うカバー部材を有していることが望ましい。
このような建具によれば、取付部材は室内側からカバー部材に覆われているので、より、意匠性に優れた建具を提供することが可能である。
【発明の効果】
【００１４】
本発明によれば、樹脂製の枠であってもオペレーターハンドルを備えて意匠性に優れた建具を提供することが可能である。
【図面の簡単な説明】
【００１５】
【図１】本実施形態に係る建具の縦断面図である。
【図２】本実施形態に係る建具の横断面図である。
【図３】建具の下部を示す縦断面図である。
【図４】無目を示す縦断面図である。
【発明を実施するための形態】
【００１６】
以下、本発明の一実施形態に係る建具について図面を参照して説明する。
本実施形態の建具は、図１、図２に示すように、建物の外周部に設けられて開閉可能な縦辷出し窓用の建具１である。
【００１７】
以下の説明においては、建物等に取り付けられた状態の建具１を室内側から見たときに、上下となる方向を上下方向、左右となる方向を左右方向、室内外方向である奥行き方向を見込み方向として示す。建具１の各部位であっても、また、建具１を構成する各部材については単体の状態であっても、建具１が取り付けられた状態で上下方向、左右方向、見込み方向となる方向にて方向を特定して説明する。
【００１８】
建具１は、合成樹脂製の４本の枠材２１が矩形状に接合された枠体２と、枠体２にリンク機構３を介して回動自在に支持された障子１０と、枠体２に取り付けられ障子１０を開閉するためのオペレーターハンドル３０とを有している。
障子１０は、矩形状の複層ガラス１１と、複層ガラス１１の外周を囲み、嵌合される押縁１２と共に当該複層ガラス１１を保持する框体１３と、を有している。
【００１９】
框体１３は、同一断面形状をなす合成樹脂製の押出成形材でなる４本の框材１３１が各々、斜めに切断された端部同士を溶着されて矩形状に接合されている。框体１３の内周側には、框体１３の各框材１３１と押縁１２とにより複層ガラス１１が挟持されている。以下、矩形状をなす框体１３に囲まれた複層ガラス１１側を内周側、反対の枠体２側を外周側として説明する。
【００２０】
框体１３を形成する框材１３１は、図３に示すように、複層ガラス１１の端面と対向する部位を備える框本体部１３１ａと、框本体部１３１ａにおける室内側の部位が内周側に突出して複層ガラス１１の室内側の面と対向するガラス対向部１３１ｂと、框本体部１３１ａにおける室外側の部位に設けられ押縁１２が嵌合される押縁嵌合部１３１ｃと、框本体部１３１ａにおける室外側の部位が外周側に突出した框室外突出部１３１ｄと、を有している。このため、４本の框材１３１が接合され框体１３は、框室外突出部１３１ｄが繋がった部位が、室内側の部位より、全周に亘って外周側に突出している。框室外突出部１３１ｄの外周側となる先端部には室内側に、他の部位より軟質の樹脂により形成された止水片１３１ｅが全周に亘って設けられている。
【００２１】
枠体２は、同一断面形状をなす合成樹脂製の押出成形材でなる４本の枠材２１が各々、斜めに切断された端部同士を溶着されて矩形状に形成されている。以下の説明においては、框体１３と同様に、矩形状をなす枠体２に囲まれている側を内周側、反対側を外周側として説明する。また、障子１０を閉じた状態で障子１０の面に沿う方向を面内方向、障子１０と直交する方向を面外方向として説明する。
【００２２】
枠体２を形成する枠材２１は、障子１０を閉じた際に障子１０の框室外突出部１３１ｄより室内側の部位と面内方向に対向する枠本体部２１１と、枠本体部２１１の外周側のほぼ半分の部位の室外側に突出されている枠室外突出部２１２と、枠本体部２１１における室内側の部位の内周側に突出し閉じた障子１０の室内側の面と面外方向に対向する面外対向部２１３と、を有している。面外対向部２１３の内周側であって室内側の縁には、内周側に突出した突起２１３ａが枠材２１の全長に亘って設けられている。
【００２３】
枠本体部２１１には、その内部に長手方向に連通する２つの中空部が形成されるように面内方向に沿うリブ２１１ａが設けられている。リブ２１１ａは、枠本体部２１１におけるリブ２１１ａより室内側の部位が、面外対向部２１３の面外方向の幅と同じになる位置に設けられており、リブ２１１ａより室外側に形成される中空部（以下、面内対向中空部という）２１１ｂ内には、アルミニウム製の押出成形部材でなる面内対向補強材４が設けられている。
【００２４】
面内対向補強材４は、枠本体部２１１の２つの中空部の内周側の壁を形成している内壁部２１１ｃに沿う内壁対向部４ａと、内壁対向部４ａの室内外の両端部の僅かに内側から外周側に各々延出された室内脚部４ｂおよび室外脚部４ｃと、室内脚部４ｂの外周側の端部から室内側に延出されて面内対向中空部２１１ｂの外周側の壁を形成している外壁部２１１ｄに沿う室内外周対向部４ｄと、室外脚部４ｃの外周側の端部から室外側に延出されて面内対向中空部２１１ｂの外周側の壁を形成している外壁部２１１ｄに沿う室外外周対向部４ｅとを有している。室外脚部４ｃは、面内方向におけるほぼ中央から外周側が、外周に向かって室外側に傾斜している。本実施形態の面内対向補強材４は、火災時に枠材２１が溶融した場合であっても枠体２が残るように長手方向においてほぼ全長に設けられている。
【００２５】
面外対向部２１３には、その内部に長手方向に連通する中空部である面外対向中空部２１３ｂが設けられており、内周側の端部の室外側には、障子１０に当接される止水材５が嵌合される止水材嵌合部２１３ｃが室外側に突出させて設けられている。このため、枠本体部２１１と止水材５及び止水材嵌合部２１３ｃとの間には、室内側に窪む凹部２１４が設けられている。面外対向中空部２１３ｂ内には、アルミニウム製の押出成形部材でなる面外対向補強材６が設けられている。また、面外対向中空部２１３ｂを形成する内周側の面から面外対向中空部２１３ｂ内に突出する補強リブ２１５が設けられている。補強リブ２１５は、枠材２１の長手方向に沿って全長に亘って設けられている。
【００２６】
面外対向補強材６は、面外対向中空部２１３ｂと凹部２１４との境界をなす壁と対向し、ビスにて固定される固定壁部６ａと、固定壁部６ａの外周側の端から室内側に延出されて内壁部２１１ｃに沿う面外壁部６ｂと、固定壁部６ａの上端から上方に延出された上方延出部６ｃと、上方延出部６ｃの上端から室外側に延出され室外延出部６ｄと、上方延出部６ｃの上端から室内側に延出され室内側に向かって上方に傾斜する補強傾斜部６ｅと、補強傾斜部６ｅの室内側の端から室内側に延出された室内延出部６ｆと、室外延出部６ｄの先端から上方に突出され止水材嵌合部２１３ｃと補強リブ２１５との間に配置される上突片６ｇと、を有している。
【００２７】
面内対向補強材４と面外対向補強材６とは、断面Ｌ字状の連結部材７により連結されている。連結部材７は、内壁部２１１ｃの内周側の面に当接される本体接合部としての内壁当接板部７ａと、凹部２１４の室内側の面に当接される凹部接合部としての凹部当接板部７ｂとを有している。連結部材７は、内壁部２１１ｃの内周面に内壁当接板部７ａが当接され、凹部当接板部７ｂが凹部２１４に挿入されて配置される。そして、室外側から進入するビスを凹部当接板部７ｂとともに凹部２１４を形成する壁部に貫通させて固定壁部６ａに螺合させて面外対向補強材６と接合され、上方から進入するビスを内壁当接板部７ａとともに内壁部２１１ｃに貫通させて内壁対向部４ａに螺合させて面内対向補強材４に固定されることにより面内対向補強材４と面外対向補強材６とが連結される。
【００２８】
オペレーターハンドル３０は、開閉操作するためのハンドル部３０ａと、ハンドル部３０ａが回動自在に設けられている台座部３０ｂと、台座部３０ｂからハンドル部３０ａと反対側に突出し、ハンドル部３０ａの操作により揺動するアーム３０ｃとを有している。アーム３０ｃは、障子１０のに設けられたピン１４と回動自在に係合しており、ハンドル操作により障子１０が開閉するように構成されている。すなわち、障子１０に設けられたピン１４とアーム３０ｃとが障子開閉機構８に相当する。
【００２９】
次に、オペレーターハンドル３０の枠体２への固定構造について説明する。オペレーターハンドル３０は、下枠２１ａ側に取り付けられている。このため、以下説明においては、下枠２１ａをなす枠材２１を対象として説明するので、上記内周側が上側に相当し、外周側が下側に相当する。
【００３０】
オペレーターハンドル３０は、下枠２１ａの面外対向部２１３の上に固定される金属製のアタッチメント３１と、アタッチメント３１の室外側に配置されてオペレーターハンドル３０を固定するためのビスが螺合される金属製の裏板材３２と、アタッチメント３１の室内側を覆うカバー部材３３とを用いて下枠２１ａの面外対向部２１３に設けられた面外対向中空部２１３ｂの面外対向補強材６に取り付けられる。ここで、アタッチメント３１と裏板材３２とが、オペレーターハンドル３０を枠体２に取り付けるための取付部材に相当する。
【００３１】
アタッチメント３１は、アルミニウム製の押出成形部材であり、面外対向部２１３の上に載置されたときに下枠２１ａの面外対向中空部２１３ｂの室内に臨む面を有する室内壁部３１ａと、室内壁部３１ａの下端から、延出され面外対向中空部２１３ｂに配置された面外対向補強材６の補強傾斜部６ｅとほぼ平行をなすように傾斜された取付傾斜部３１ｂと、取付傾斜部３１ｂの室外側の端から室外側にほぼ水平に延出された下水平延出部３１ｃと、下水平延出部３１ｃの室内外の両端部から垂設された垂設脚部３１ｄと、取付傾斜部３１ｂの室内側の部位から補強傾斜部６ｅとほぼ直交するように延出された傾斜脚部３１ｅと、室内壁部３１ａの上端から室外側にほぼ水平に延出された上水平延出部３１ｆとを有している。
【００３２】
アタッチメント３１の室外側に配置される裏板材３２は、鉄製の板部材であり、室内壁部３１ａに沿う内壁裏板部３２ａと、内壁裏板部３２ａの下端と繋がって取付傾斜部３１ｂに沿う傾斜裏板部３２ｂとを有している。すなわち、裏板材３２は、アタッチメント３１の室内壁部３１ａと取付傾斜部３１ｂとに沿って配置される。
【００３３】
カバー部材３３は、合成樹脂製の押出成形部材であり、アタッチメント３１の室内壁部３１ａを室内側から覆う室内カバー部３３ａと、室内カバー部３３ａの上端側から室外側に延出されて上水平延出部３１ｆの上面を覆う上カバー部３３ｂと、上カバー部３３ｂの室外側の端部が上水平延出部３１ｆの室外側の端部を覆って上水平延出部３１ｆの下面側に至るように形成された上水平延出部３１ｆとの係合部３３ｃと、を有している。室内カバー部３３ａは、上カバー部３３ｂより上方に突出して、建具１において室内側に設けられる網戸１ａを支持している。また、室内カバー部３３ａの下端は、カバー部材３３がアタッチメント３１に取り付けられて面外対向部２１３の上に載置されたときに面外対向部２１３の上面に当接または近接するように、室内壁部３１ａより下方に突出する下突出部３３ｄが形成されている。下突出部３３ｄには、室外側に突出して、カバー部材３３がアタッチメント３１に取り付けられたときに、室内壁部３１ａの下側に入り込む突片３３ｅが設けられている。
【００３４】
オペレーターハンドル３０を下枠２１ａに取り付ける場合には、まず、アタッチメント３１の上水平延出部３１ｆの先端に、カバー部材３３の係合部３３ｃを係合させて室内カバー部３３ａを室内壁部３１ａに沿わせるとともに、突片３３ｅを室内壁部３１ａの下に挿入する。
【００３５】
次に、カバー部材３３を取り付けたアタッチメント３１の垂設脚部３１ｄと傾斜脚部３１ｅとを、面外対向部２１３の上に当接させて面外対向部２１３上に載置する。このとき、室内カバー部３３ａの下突出部３３ｄの室内側の面を、面外対向部２１３の上方に突出している突起２１３ａの室外側の面に当接させて位置決めする。
【００３６】
位置決めされたアタッチメント３１の室内側に裏板材３２を当接させ、傾斜裏板部３２ｂから当該傾斜裏板部３２ｂとほぼ直交する方向からビス９を進入させて補強傾斜部６ｅおよび室外延出部６ｄの上部を貫通させて面外対向補強材６の補強傾斜部６ｅに螺合させて固定する。
【００３７】
最後に、オペレーターハンドル３０のアーム３０ｃを室内側から、アタッチメント３１、裏板材３２、カバー部材３３に設けられた開口を挿通させ、障子１０に設けられたピン１４と係合させて台座部３０ｂをカバー部材に３３に当接させる。その後、室内側から進入するビス（不図示）をカバー部材３３、アタッチメント３１を貫通させて裏板材３２に螺合させて枠体２にオペレーターハンドル３０を固定する。
【００３８】
本実施形態の建具によれば、枠体２を形成する下枠２１ａが備える面外対向部２１３の面外対向中空部２１３ｂに設けられた金属製の面外対向補強材６に、面外対向部２１３の内周側に配置された金属製のアタッチメント３１と裏板材３２が固定されるので、金属製の高い強度を備えた部位にオペレーターハンドル３０を取り付けることが可能である。このとき、枠体２を形成する各枠材２１は、いずれも枠本体部２１１と、面外対向中空部２１３ｂを備えた面外対向部２１３とを有する同一断面形状をなしているので、枠材２１の端部同士を突き合わせて溶着することが可能である。そして、オペレーターハンドル３０が設けられている室内側から見た際にも各枠材２１が繋がって平坦な面を形成するので意匠性に優れている。このため、樹脂製の枠体２であってもオペレーターハンドル３０を備えて意匠性に優れた建具１を提供することが可能である。
【００３９】
また、アタッチメント３１および裏板材３２が固定されている面外対向補強材６は、枠本体部２１１の面内対向中空部２１１ｂ内に設けられた金属製の面内対向補強材４と、金属製の連結部材７により連結されているので、より強固にオペレーターハンドル３０を取り付けることが可能である。このとき、連結部材７が備える凹部当接板部７ｂは、面外対向部２１３において、枠本体部２１１と止水材５及び止水材嵌合部２１３ｃとの間に形成された室内側に窪む凹部２１４に配置され、凹部当接板部７ｂと繋がった内壁当接板部７ａは枠本体部２１１と対向しているので、枠体２と障子１０との狭い隙間であっても面外対向補強材６と面内対向補強材４とを確実に連結することが可能である。
【００４０】
また、アタッチメント３１および裏板材３２を面外対向補強材６に固定すべくビス９を締め込んだときにアタッチメント３１および裏板材３２と面外対向補強材６とが傾斜に沿って互いに異なる方向にスライドして面外対向部２１３に外力が作用したとしても、補強リブ２１５により補強されているので面外対向部２１３が損傷することを抑えることが可能である。このため、オペレーターハンドル３０が固定される、アタッチメント３１および裏板材３２をより強固に固定することが可能である。
【００４１】
また、障子回動機構８が閉じた障子１０とアタッチメント３１および裏板材３２との間の狭い空間に設けられているので、オペレーターハンドル３０が取り付けられる部位を突出させることなく納めることが可能である。
また、アタッチメント３１は室内側からカバー部材３３に覆われているので、より意匠性に優れた建具１を提供することが可能である。
【００４２】
上記実施形態においては、矩形状の枠体２に障子１０が設けられている建具を例に挙げて説明したが、たとえば、上記のような開閉可能な障子の下にＦＩＸ窓を備えた形態であっても構わない。この場合には、図４に示すように、障子１０の下に、上記下枠２１ａの枠本体部２１１および面外対向部２１３が上下対称形状となるような無目２４が配置されるので、無目２４が有する無目中空部２４ａに無目補強材２５を備え、オペレーターハンドル３０が取り付けられたアタッチメント３１および裏板材３２が固定された面外対向補強材６を無目補強材２５と連結部材７により連結し、さらに、無目２４の下側の面外対向部２１３の面外対向中空部２１３ｂに設けられた面外対向補強材６と無目補強材２５とを連結部材７により連結することにより、より強固に固定することが可能である。
【００４３】
また、建具１が防火を考慮する必要がない場合には、上記実施形態において下枠２１ａの面内対向中空部２１１ｂ内に設けた面内対向補強材４の形状は、内壁部２１１ｃに沿う平板状の金属であっても構わない。
【００４４】
また、上記実施形態は、本発明の理解を容易にするためのものであり、本発明を限定して解釈するためのものではない。本発明は、その趣旨を逸脱することなく、変更、改良され得ると共に、本発明にはその等価物が含まれることはいうまでもない。
【符号の説明】
【００４５】
１  建具、２  枠体、４  面内対向補強材、６  面外対向補強材、７  連結部材、
７ａ  内壁当接板部、７ｂ  凹部当接板部、８  障子開閉機構、９  ビス、
１０  障子、１４  ピン、２１  枠材、２１ａ  下枠、３０  オペレーターハンドル、
３０ｃ  アーム、３１  アタッチメント、３２  裏板材、３３  カバー部材、
２１１  枠本体部、２１１ｂ  面内対向中空部、２１３  面外対向部、
２１３ｂ  面外対向中空部、２１４  凹部、２１５  補強リブ
【図１】
0006386365.tif 000002
【図２】
0006386365.tif 000003
【図３】
0006386365.tif 000004
【図４】
0006386365.tif 000005